(57)【特許請求の範囲】
【請求項１】
一面が開放された開口部となっている本体ケーシングと、前記本体ケーシングに第１回転軸回りに回転可能に設けられ前記開口部を開閉可能に閉じるケーシングカバーとを有し、前記本体ケーシングの内部に電源ユニットと光信号を電気信号に変換して増幅する光受信増幅ユニットとを設け、前記一面側に、前記開口部とほぼ同じ大きさのファイバトレイを設け、前記ファイバトレイに光ファイバの余長部分を巻き付けて収納すると共に、前記光受信増幅ユニットの光中継用アダプタに前記光ファイバの端部の光コネクタを前記ファイバトレイの開口を通じて接続している光受信機において、
前記ファイバトレイは、前記本体ケーシングに前記第１回転軸に直交する第２回転軸回りに回転可能に取り付けられ、前記第２回転軸回りに回転させることで前記開口部を開閉する構成とされ、
前記ファイバトレイを開いた状態で、前記電源ユニット又は前記光受信増幅ユニットの少なくとも一方を前記本体ケーシング内から取り出し可能であり、
前記ファイバトレイと前記本体ケーシングとの間には、前記ファイバトレイの開状態を弾性的に保持する保持手段が設けられ、
前記保持手段が、
前記ファイバトレイの外側部に基端部が結合され前記ファイバトレイの前記外側部と平行に延びるように設けられる弾性片と、
前記弾性片に設けられる突起部と、
前記本体ケーシングの内面側に形成され前記ファイバが前記開口部を開放しているときに、前記突起部が係脱可能に係合し前記ファイバトレイの開状態を弾性的に保持する凹部とを備えることを特徴とする光受信機。
【請求項２】
前記ファイバトレイは、前記回転可能に取り付けられている側に、前記光ファイバの導入部を有する一方、前記回転可能に取り付けられている側とは反対側において、前記ファイバトレイと前記本体ケーシングとの間に前記ファイバトレイを前記本体ケーシングに係脱可能に係止する係止手段が設けられている、請求項１記載の光受信機。
【請求項３】
前記ファイバトレイは、前記係止手段による係止を解除する方向に前記ファイバトレイを回転させるためのつまみ部を有する、請求項２記載の光受信機。
【請求項４】
前記導入部は、挿入される光ファイバを複数の板状部で挟持する複数の挟持部分と、隣り合う前記挟持部分の間に形成される係合凹部とを有し、蓋部で覆われる構成とされ、
前記蓋部に、前記係合凹部に係脱可能に係合する係合凸部と、前記挟持部分に係合し挟持されている光ファイバを押さえ付ける押さえ部とが形成されている、請求項２または３記載の光受信機。
【発明の詳細な説明】
【技術分野】
【０００１】
本発明は、光受信機に関するものである。
【背景技術】
【０００２】
屋外からの光ファイバを屋内に引き込むための装置として、光受信機（ＦＴＴＨ端末機）が知られている（例えば特許文献１参照）。この光受信機は、放送系の光ファイバにて入力される光信号を、光受信増幅部にて電気信号に変換し増幅して出力するものである。
【０００３】
このような光受信機１０１は、通常、設置された状態において、図１９（ａ）に示すように、内蔵される電源ユニット１０２(図１９（ｂ）参照）の電源コード１０２ａが電源コンセント(図示せず）に接続され、光ケーブル１０３（光ファイバーケーブル）を通じて光信号が入力され、同軸ケーブル１０４を通じてテレビ放送信号が出力されるようになっている。
【０００４】
しかしながら、実際に設置場所で光受信機を設置する場合に、設定場所によっては電源コンセントが設置場所近くにないため、例えば図１９（ｂ）に示すように、本体ケーシング１０１Ａ内から電源ユニット１０２を取り出して、屋内の電源コンセント（図示せず）に電源コード１０２ａを接続できる場所に電源ユニット１０２を配置する一方、電源ユニット１０２と、本体ケーシング１０１Ａ内の光受信増幅ユニット（図示せず）とを同軸ケーブル１０４で接続して同軸ケーブル１０４を介して電力を供給するようにし、電源ユニット１０２から別の同軸ケーブル１０５を通じてテレビ放送信号がテレビ受像機などに供給するようにして使用する場合がある。
【０００５】
そのような場合、本体ケーシング１０１Ａの開口部を開放し、電源ユニット１０２を取り出す必要があるが、本体ケーシング１０１Ａの開口部にはファイバトレイ（図示せず）は取り外し可能に嵌め込まれているので、ファイバトレイを本体ケーシング１０１Ａより完全に外し、ファイバトレイを作業者が持って、電源ユニット１０２の取り外し作業をしなければならず、作業性が悪かった。特に、そのような光受信機１０１は、通常、高所に設置され、脚立の上などにのって作業を行う必要があるので、電源ユニット１０２の取り出しを容易に行えることが望まれている。
【０００６】
ところで、光ファイバ収納ケースを箱体に回転可能に取り付けたものが知られている（例えば特許文献２参照）。
【先行技術文献】
【特許文献】
【０００７】
【特許文献１】特開２００６−１１９２３８号公報
【特許文献２】特開２００７−０４７３３０号公報
【発明の概要】
【発明が解決しようとする課題】
【０００８】
特許文献２に記載の光ファイバ収納ケースは、光ファイバが収納された部分が箱体内部に向けて位置し、箱体内の表示板をケースカバーとしてするものであり、光ファイバトレイに光ファイバが巻き付けられた部分が本体ケーシング外部に向けて設けられる構造の光受信機とは基本となる構造が異なり、そのまま適用することができない。
【０００９】
つまり、特許文献２記載の技術は、ファイバ収納ケースの回転軸が水平方向であり、下方に回転して開放した状態で、光ファイバを巻き付けることで光ファイバの収納操作を容易にすることを開示するにすぎない。
【００１０】
本発明は、本体ケーシングからの電源ユニットの取り出しを容易に行うことができる光受信機を提供することを目的とする。
【課題を解決するための手段】
【００１１】
請求項１の発明は、一面が開放された開口部となっている本体ケーシングと、前記本体ケーシングに第１回転軸回りに回転可能に設けられ前記開口部を開閉可能に閉じるケーシングカバーとを有し、前記本体ケーシングの内部に電源ユニットと光信号を電気信号に変換して増幅する光受信増幅ユニットとを設け、前記一面側に、前記開口部とほぼ同じ大きさのファイバトレイを設け、前記ファイバトレイに光ファイバの余長部分を巻き付けて収納すると共に、前記光受信増幅ユニットの光中継用アダプタに前記光ファイバの端部の光コネクタを前記ファイバトレイの開口を通じて接続している光受信機において、前記ファイバトレイは、前記本体ケーシングに前記第１回転軸に直交する第２回転軸回りに回転可能に取り付けられ、前記第２回転軸回りに回転させることで前記開口部を開閉する構成とされ、前記ファイバトレイを開いた状態で、前記電源ユニット又は前記光受信増幅ユニットの少なくとも一方を前記本体ケーシング内から取り出し可能であり、前記ファイバトレイと前記本体ケーシングとの間には、前記ファイバトレイの開状態を弾性的に保持する保持手段が設けられ、前記保持手段が、前記ファイバトレイの外側部に基端部が結合され前記ファイバトレイの前記外側部と平行に延びるように設けられる弾性片と、前記弾性片に設けられる突起部と、前記本体ケーシングの内面側に形成され前記ファイバが前記開口部を開放しているときに、前記突起部が係脱可能に係合し前記ファイバトレイの開状態を弾性的に保持する凹部とを備えることを特徴とする。
【００１２】
このようにすれば、ファイバトレイが本体ケーシングに回転可能に取り付けられているので、本体ケーシング内から電源ユニット又は光受信増幅ユニットを取り出す際に、作業者がファイバトレイを片手で把持しながら作業を行う必要がなくなり、前記電源ユニット又は光受信増幅ユニットを取り出す作業を容易に行うことができる。
【００１４】
また、保持手段によって前記ファイバトレイの開状態が弾性的に保持されるので、電源ユニット又は光受信増幅ユニットの取り出しがより容易となる。
【００１５】
請求項２に記載のように、前記ファイバトレイは、前記回転可能に取り付けられている側に、前記光ファイバの導入部を有する一方、前記回転可能に取り付けられている側とは反対側において、前記ファイバトレイと前記本体ケーシングとの間に前記ファイバトレイを前記本体ケーシングに係脱可能に係止する係止手段が設けられている、構成とすることができる。
【００１６】
このようにすれば、ファイバトレイが係止手段によって本体ケーシングに確実に保持され、ケースカバーを開いた際にファイバトレイが不用意に回転することがなくなる。
【００１７】
この場合、請求項３に記載のように、前記ファイバトレイは、前記係止手段による係止を解除する方向に前記ファイバトレイを回転させるためのつまみ部を有する、ことが望ましい。
【００１８】
このようにすれば、つまみ部を用いることで、係止手段による係止解除を容易に行うことができる。
【００１９】
請求項４に記載のように、前記ケーブル導入部は、挿入される光ケーブルを複数の板状部で挟持する複数の挟持部分と、隣り合う前記挟持部分の間に形成される係合凹部とを有し、蓋部で覆われる構成とされ、前記蓋部に、前記係合凹部に係脱可能に係合する係合凸部と、前記挟持部分に係合し挟持されている光ケーブルを押さえ付ける押さえ部とが形成されている、ことが望ましい。
【００２０】
このようにすれば、蓋部材によって光ケーブルの導入部分の保持を確実に行うことができる。また、挟持部分を、複数の板状部で構成しているので、光ケーブルを挟持しない場合でも、ケーブル導入部からの水の浸入を防止する上で有利である。
【発明の効果】
【００２１】
本発明は、ファイバトレイが本体ケーシングに回転可能に取り付けられ、前記ファイバトレイと前記本体ケーシングとの間に前記ファイバトレイの開状態を弾性的に保持する保持手段が設けられているので、本体ケーシング内から電源ユニット又は光受信増幅ユニットを取り出す際に、作業者がファイバトレイを手で把持しながら作業を行う必要がなくなり、前記電源ユニット又は光受信増幅ユニットを取り出す作業を容易に行うことができる。
【図面の簡単な説明】
【００２２】
【図１】本発明の実施の形態に係る光受信機を、下方からみた斜視図である。
【図２】前記光受信機においてケーシングカバーを開いた状態を示す斜視図である。
【図３】（ａ）（ｂ）はそれぞれ前記光受信機においてケーシングカバーを開いた状態を示す正面図及び右側面図である。
【図４】前記光受信機においてケーシングカバーを開いた状態で、さらにファイバトレイを開いた状態を示す斜視図である。
【図５】（ａ）（ｂ）（ｃ）はそれぞれ図３（ａ）におけるＡ−Ａ線，Ｂ−Ｂ線およびＣ−Ｃ線における断面図である。
【図６】（ａ）（ｂ）はそれぞれ前記光受信機においてケーシングカバーおよびファイバトレイを開いた状態を示す正面図及び右側面図、（ｃ）は図６（ａ）のＤ−Ｄ線における断面図である。
【図７】前記ファイバトレイの正面図である。
【図８】ケーブル導入部の詳細図である。
【図９】前記ケーブル導入部の蓋部を開いた状態を示す斜視図である。
【図１０】前記ファイバトレイの平面図である。
【図１１】前記ファイバトレイの上部を回転可能に支持する構造を示し、（ａ）はファイバトレイの要部斜視図、（ｂ）は本体ケーシングの要部斜視図である。
【図１２】（ａ）（ｂ）はそれぞれ前記ファイバトレイの底面図および、底面側から見た斜視図である。
【図１３】本体ケーシングの斜視図である。
【図１４】前記ファイバトレイの閉状態をケースカバーを省略して示すもので、（ａ）は平面図、（ｂ）は図１４（ａ）のＥ−Ｅ線断面図、（ｃ）は図１４（ａ）のＦ−Ｆ線断面図、（ｄ）は図１４（ａ）のＧ−Ｇ線断面図である。
【図１５】前記ファイバトレイの開状態をケースカバーを省略して示すもので、（ａ）は平面図、（ｂ）は図１５（ａ）のＨ−Ｈ線断面図、（ｃ）は図１５（ａ）のＩ−Ｉ線断面図、（ｄ）は図１５（ａ）のＪ−Ｊ線断面図である。
【図１６】前記ファイバトレイの上部を回転可能に支持する構造においてファイバトレイ側の回転軸部、突起部と本体ケーシング側の支持穴、凹部との関係を示し、（ａ）は図１５（ｄ）のIX部の拡大図、（ｂ）は図１４（ｂ）のI部の拡大図、（ｃ）は図１４（ｃ）のV部の拡大図、（ｄ）は図１５（ｃ）のVII部の拡大図、（ｅ）は図１４（ｄ）のIII部の拡大図である。
【図１７】前記ファイバトレイの下部を回転可能に支持する構造においてファイバトレイ側の係合部と本体ケーシング側の固定軸部との関係を示し、（ａ）は図１４（ｃ）のIV部の拡大図、（ｂ）は図１４（ｄ）のII部の拡大図、（ｃ）は図１５（ｄ）のVIII部の拡大図、（ｄ）は図１５（ｂ）のVI部の拡大図である。
【図１８】前記ファイバトレイの上部を回転可能に支持する構造の変形例を示し、（ａ）はファイバトレイの要部斜視図、（ｂ）は本体ケーシングの要部斜視図である。
【図１９】（ａ）（ｂ）はぞれぞれ光受信機の使用状態の説明図である。
【発明を実施するための形態】
【００２３】
以下、本発明の実施の形態を図面に沿って説明する。なお、以下の説明において、図１〜図３に示すように、光受信機１において、ケーシングカバー４が設けられている側を前側、ケーシングカバー４の回転軸Ｓ１がある側を上側、ファイバトレイ３の回転軸Ｓ２がある側を左側とする。
【００２４】
図１〜図３に示すように、光受信機１は、一面（前面）が開放された開口部２ａとなっている矩形箱形状の本体ケーシング２と、本体ケーシング２の前面に設けられているファイバトレイ３と、本体ケーシング２の上部に水平方向の回転軸Ｓ１（第１回転軸）回りに回転可能に設けられ開口部２ａを開閉可能に閉じるケーシングカバー４とを有する。
【００２５】
本体ケーシング２の内部には、図４に示すように、電源ユニット５と光受信増幅ユニット６とが上下に並んで設けられている。光受信増幅ユニット６は、この光受信増幅ユニット６に光信号を受光するための光中継用アダプタ６ａを有し、この光中継用アダプタ６ａは、シールドケース６ｂの上面に、支持部材６ｃを介して一定の角度をなすように取り付けられている。光中継用アダプタ６ａを介して入力された光信号は、光受信増幅ユニット６において電気信号に変換され、増幅される。この増幅された電気信号は、シールドケース６ｂの下面部に設けられた出力端子８から出力される。この出力端子８から出力される電気信号をモニタするモニタ端子７が、シールドケース６ｂの下面部に出力端子８と並列に設けられている。なお、電気信号はテレビ放送信号であり、この電気信号は出力端子８から同軸ケーブル（図示せず）を介してテレビ受信機などに供給される。
【００２６】
本体ケーシング２の下面には、モニタ端子７及び出力端子８がそれぞれ貫通される挿通孔２ｂ，２ｃが形成されている。また、ケーシングカバー４を本体ケーシング２に固着するためのネジ９が螺着される雌ネジ部２ｄが下面部側に設けられている。
【００２７】
ケーシングカバー４は、水平方向の回転軸Ｓ１回りに回転することで開閉可能とされ、本体ケーシング２との間にそれらをほぼ９０°の角度をなした状態で保持する第１保持手段Ｍ１が設けられている。この第１保持手段Ｍ１は、図５（ａ）に示すように、ネジ９が設けられている側とは反対側に位置するケーシングカバー４の係止縁部４ａと、本体ケーシング２の背面に設けられ係止縁部４ａが係脱可能に弾性係合する係止凸部２ｅとによって構成される。
【００２８】
ファイバトレイ３は、本体ケーシング３に対し鉛直方向の回転軸Ｓ２（第２回転軸）回りに回転可能に取り付けられ、図４及び図６（ａ）（ｂ）に示すように、回転軸Ｓ２回りに回転することで開口部２ａを開閉する構成とされている。
【００２９】
このファイバトレイ３は、開口部３ａとほぼ同じ大きさで、図７にも示すように、光ケーブルが導入される光ケーブル導入部３Ａを有し、導入される光ケーブルの、放送系の光ファイバと通信系の光ファイバの余長部分を巻き付けて収納するものである。この光ケーブル導入部３Ａがある側において、本体ケーシング２にファイバトレイ３が回転可能に支持されている。放送系の光ファイバ１１の端部の光コネクタ１１ａ（図５（ａ）参照）が、ファイバトレイ３の開口３ａを通じて光受信増幅ユニット６の光中継用アダプタ６ａに接続されている。なお、導入された光ケーブルは、具体的に図示していないが、例えば、ファイバの先端部分だけを簡単にコネクタ加工できる簡易コード化部材を用いて、放送系の光ファイバと通信系の光ファイバとに分けられる。
【００３０】
ケーブル導入部３Ａは、図８及び図９に詳細を示すように、挿入される光ケーブルを複数の板状部３Ａａａで挟持する複数の挟持部分３Ａａと、隣り合う挟持部分３Ａａの間に形成される係合凹部３Ａｂとを有し、ファイバトレイ３に樹脂ヒンジ３Ｆ（弾性ヒンジ）を介して一体に設けられた蓋部３Ｅで覆われる構成とされている。蓋部３Ｅに、係合凹部３Ａｂに係脱可能に係合する係合凸部３Ｅａと、挟持部分３Ａａに係合し挟持されている光ケーブル（図示せず）を押さえ付ける押さえ部３Ｅｂとが形成されている。なお、光ケーブル導入部３Ａが形成されている側とは反対側には、電源ユニット５から外部に延びる電源コード５ａを通す挿通部３Ｇとが形成されている。
【００３１】
ファイバトレイ３の前面部は、光ケーブルが導入されるケーブル導入部３Ａに加えて、ファイバトレイ３の鉛直面部からそれに直交する方向に突出する板状の縦リブを組み合わせることによって、第１巻き付け部３Ｍと第２巻き付け部３Ｎとを形成するなどして、光ファイバの余長部分を巻き付けるために通る多彩な通路が形成されている。また、光ファイバが通る部分に対し光ファイバの離脱（浮き上がり）を防止するためのひさし状の水平リブ３ｆが、通路に向けて水平に突出するように設けられている。
【００３２】
第１及び第２巻き付け部３Ｍ，３Ｎの間には、それらの間に光ファイバが巻き付けられた場合にその光ファイバより後方位置で、光受信増幅ユニット６の光中継用アダプタ６ａに、放送系の光ファイバ１１の終端部の光コネクタ１１ａがファイバトレイ３の開口３ａを通じて着脱可能に接続されるようになっている。この開口３ａには、開口３ａに向かって（底面の）高さが徐々に低くなるように傾斜している案内凹部３ｄが形成されている（図５（ａ）参照）。
【００３３】
続いて、ファイバトレイ３を回転可能に支持する構造について説明する。
【００３４】
ファイバトレイ３の上部には、図１０及び図１１（ａ）に示すように、ファイバトレイ３に基端部が結合され、先端部がファイバトレイ３の上面と平行に延びる片持ちはり状に略Ｌ字板状の弾性片３Ｂが設けられている。この弾性片３Ｂは、前記基端部から外方に延びる第１部分３Ｂａとこの第１部分３Ｂａの先端部分から後方に延びる第２部分３Ｂｂとを有し、第１部分３Ｂａの先端部（後端部）に回転軸部３Ｂｃが上方に突出するように設けられている。また、第２部分３Ｂｂには、その回転軸部３Ｂｃが設けられている部位から先端に向かって延びる線状の突起部３Ｂｄが形成されている。一方、本体ケーシング２には、図１１（ｂ）に示すように、弾性片３Ｂに対応して突出片部２Ａが一体に形成されており、その突出片部２Ａに回転軸部３Ｂｃが回転可能に嵌挿される支持穴２Ａａが形成されている。また、本体ケーシング２の内面側には、支持穴２Ａａから前後方向に延びる溝状の第１凹部２Ａｂと、支持穴２Ａａから左右方向に延びる溝状の第２凹部２Ａｃとが形成されている。これにより、本体ケーシング２の開口部２ａをファイバトレイ３が閉じているときには、図１４（ａ）〜（ｄ）にケースカバー４を省略して示すようになっている。つまり、図１６（ｃ）（ｅ）に示すように回転軸部３Ｂｃが支持穴２Ａａに挿通された状態で、図１６（ｂ）に示すように突起部３Ｂｄが第１凹部２Ａｂに係脱可能に係合し、ファイバトレイ３の閉状態を弾性的に保持する。一方、ファイバトレイ３が開口部２ａを開放しているときには、図１５（ａ）〜（ｄ）にケースカバー４を省略して示すようになっている。つまり、図１６（ａ）示すように回転軸部３Ｂｃが支持穴２Ａａに挿通された状態で、図１６（ｄ）に示すように、突起部３Ｂｄが第２凹部２Ａｃに係脱可能に係合し、ファイバトレイ３の開状態を弾性的に保持するようになっている。
【００３５】
この突起部３Ｂｄと第２凹部２Ａｃとによって、ファイバトレイ３と本体ケーシング２との間に設けられファイバトレイ３を開状態に保持する第２保持手段Ｍ２が構成されている（図５（ｃ）及び図６（ｃ）参照）。
【００３６】
また、ファイバトレイ３の下部には、図１２（ａ）（ｂ）に示すように、本体ケーシング２から突出する固定軸部２ｆ（図１３参照）に回転可能に係合する逆Ｕ形状系の係合部３Ｃが形成されている。この係合部３Ｃは、ケーブル導入部３Ａに隣接して形成され、切り欠き溝部３Ｃａと、固定軸部２ｆを回転可能に支持する軸支持部３Ｃｂとを有する。なお、切り欠き溝部３Ｃａは、軸支持部３Ｃｂを成形するに際に成形金型（図示せず）が挿入される部分である。
【００３７】
そして、弾性片３Ｂを弾性変形させて回転軸部３Ｂｃを支持孔２Ａａに挿入し、その状態のままファイバトレイ３を後方に移動することで固定軸部２ｆが軸支持部３Ｃｂに回転可能に支持される。本体ケーシング２の開口部２ａをファイバトレイ３が閉じているときの状態を図１７（ａ）（ｂ）に、ファイバトレイ３が開口部２ａを開放しているの状態を図１７（ｃ）（ｄ）にそれぞれ示す。
【００３８】
また、係合部３Ｃに連続して、本体ケーシング２の、ケーブル導入部３Ａが配置される部位に形成される係合凹部２Ｄに係脱可能に係合する略Ｕ字形状の突縁部３Ｄが後方に突出するように形成されている。ファイバトレイ３が、閉状態にあるとき突縁部３Ｄが係合凹部２Ｄに係脱可能に係合することになる。
【００３９】
このように、ファイバトレイ３が上下部において、両軸部３Ｂｃ，２ｆを利用して本体ケーシング２に回転可能に取り付けられ、ファイバトレイ３を開状態に保持されるようにしているので、ケーシングカバー４を第１保持手段Ｍ１にて開状態に保持し、続けてファイバトレイ３を第２保持手段Ｍ２にて開状態に保持することで、ファイバトレイ３を本体ケーシング２から取り外すことなく、電源ユニット５を本体ケーシング２内から無理なく取り出すことができる。
【００４０】
さらに、前記回転可能に取り付けられている側（ケーブル導入部３Ａがある側）とは反対側においてファイバトレイ３と本体ケーシング２との間にファイバトレイ３を本体ケーシング２に係脱可能に係止する係止手段Ｍ３が設けられている。この係止手段Ｍ３は、図５（ｂ）に示すように、ファイバトレイ３から後方に突出する弾性係合片３ｂと、本体ケーシング２から前方に突出し弾性係合片３ｂに係脱可能に係合して係止する弾性被係合片２ｇとによって構成される。そして、ファイバトレイ３の、係止手段Ｍ３が設けられている部分は、作業者が把持し係止手段Ｍ３による係止を解除する方向にファイバトレイ３を回転するためのつまみ部３Ｈとなっている。
【００４１】
上記光受信機によれば、ファイバトレイ３に収納される光ファイバ１１の先端に設けた光コネクタ１１ａを光受信増幅ユニット６の光中継用アダプタ６ａに着脱可能に接続することにより、光受信増幅ユニット６に光信号を導入するようにしている。
【００４２】
よって、前記背景技術の欄で説明したように、実際に設置場所で光受信機１を設置する際に電源コンセントが設置場所近くにない場合には、ファイバトレイ３が本体ケーシング２に回転可能に取り付けられているので、第１及び第２保持手段によりケーシングカバー２およびファイバトレイ３を開状態に保持し、本体ケーシング２内から電源ユニットを簡単に取り出することができる。これにより、屋内の電源コンセント（図示せず）に電源コードを接続できる場所に電源ユニット５を配置する一方、電源ユニット５と、本体ケーシング２内の光受信増幅ユニット６とを同軸ケーブル（図示せず）で接続して電力を供給するようにし、電源ユニット５から同軸ケーブルを通じてテレビ放送信号がテレビ受像機などに供給するようにして使用することができる。
【００４３】
この場合、本体ケーシング２内から電源ユニット５を取り出す際に、作業者がファイバトレイ３を片手で把持しながら作業を行う必要がなくなり、電源ユニット５を取り出す作業を容易に行うことができる。
【００４４】
また、故障などにより電源ユニット５や光受信増幅ユニット６を交換する必要性が生じた場合にも、光中継用アダプタ６ａから光コネクタ１１ａを外すことにより、光ファイバの余長部分を収納したままでファイバトレイ３を回転して開状態に保持することができるので、ファイバトレイ３を本体ケーシング２から取り外すことなく、電源ユニット５や光受信増幅ユニット６を交換のための作業を容易に行うことができる。
【００４５】
前記実施の形態では、ファイバトレイ３の開状態あるいは閉状態を維持するために、線状の突起部３Ｂｄと凹部２Ａｃ，２Ａｄとの弾性係合を利用しているが、本発明はそのような弾性係合だけでなく、例えば図１８に示すように、山形状の突起部３Ｂｄ’と係合穴２Ａｂ’，２Ａｃ’との弾性係合関係で、ファイバトレイ３の開状態あるいは閉状態を維持するように構成することも可能である。
【符号の説明】
【００４６】
１  光受信機
２    本体ケーシング
２Ａ  突出片部
２Ａａ  支持穴
２Ａｂ，２Ａｂ’  第１凹部
２Ａｃ，２Ａｃ’  第２凹部
２Ｄ  係合凹部
２ａ  開口部
２ｂ，２ｃ  挿通孔
２ｄ  雌ねじ部
２ｅ  係止凸部
２ｆ  固定軸部
２ｇ    弾性被係合片
３  ファイバトレイ
３Ａ  ケーブル導入部
３Ａａ    挟持部分
３Ａｂ    係合凹部
３Ｂ  弾性片
３Ｂａ  第１部分
３Ｂｂ  第２部分
３Ｂｃ  回転軸部
３Ｂｄ，３Ｂｄ’  突起部
３Ｃ  係合部
３Ｃａ  切り欠き溝部
３Ｃｂ  軸支持部
３Ｄ  突縁部
３Ｅ  蓋部
３Ｅａ  係合凸部
３Ｅｂ  押さえ部
３Ｆ  樹脂ヒンジ
３Ｇ  挿通部
３Ｈ  つまみ部
３ａ  開口
３ｂ  弾性係合片
４    ケーシングカバー
４ａ  係止縁部
５  電源ユニット
６  光受信増幅ユニット
６ａ  光中継用アダプタ
６ｂ  シールドケース
６ｃ  支持部材
１１  光ファイバ
１１ａ  光コネクタ
Ｓ１，Ｓ２  回転軸
Ｍ１，Ｍ２  保持手段
Ｍ３  係止手段
【図１】
0005878814.tif 000002
【図２】
0005878814.tif 000003
【図３】
0005878814.tif 000004
【図４】
0005878814.tif 000005
【図５】
0005878814.tif 000006
【図６】
0005878814.tif 000007
【図７】
0005878814.tif 000008
【図８】
0005878814.tif 000009
【図９】
0005878814.tif 000010
【図１０】
0005878814.tif 000011
【図１１】
0005878814.tif 000012
【図１２】
0005878814.tif 000013
【図１３】
0005878814.tif 000014
【図１４】
0005878814.tif 000015
【図１５】
0005878814.tif 000016
【図１６】
0005878814.tif 000017
【図１７】
0005878814.tif 000018
【図１８】
0005878814.tif 000019
【図１９】
0005878814.tif 000020